(57)【要約】【課題】簡単な構成で無線によって点消灯制御及び調光制御を行うことができる照明装置を提供する。【解決手段】照明器具１０は、送信器としてのリモコン装置２０からの無線信号を受信し、受信した信号に応じて光源部を制御するように構成されている。リモコン装置２０は、第１の操作部２２a及び第２の操作部２２ｂを有しており、押圧操作によって、すなわち操作部が押圧状態となったことによって各操作部に対応する第１の信号を送信するとともに、第１の操作部２２aまたは第２の操作部２２ｂの押圧状態が解除されたときには、押圧状態が解除されたことによって第２の信号を送信する。【選択図】図１
2011216314.tif 000002
【特許請求の範囲】
【請求項１】
送信器本体と、この本体に配設された第１の操作部および第２の操作部と、第１および第２の操作部が押圧状態になったことによって各操作部に対応する第１の信号を送信するとともに前記第１および第２の操作部の押圧状態が解除されたことによって第２の信号を送信する無線送信部と、送信器本体に配設された電源部と、を有する送信器と；
前記送信器から送信される信号を受信する受信部と；
器具本体と、器具本体に配設された光源部と、この光源部を点灯制御するための点灯装置と、を有する照明器具と；
前記受信部と接続されて前記第１の信号を受信してから所定時間内に第２の信号を受信したときは前記光源部を点消灯制御し、前記第１の操作部に対応する第１の信号を受信してから所定時間が経過すると前記光源部の調光率を上げ、前記第２の操作部に対応する第１の信号を受信してから所定時間が経過すると前記光源部の調光率を下げるように制御する制御部と；
を具備したことを特徴とする照明装置。
【請求項２】
前記制御部は、第１の信号を受信してから所定時間を経過してから第２の信号を受信するまで調光制御を継続することを特徴とする請求項１に記載の照明装置。
【請求項３】
前記電源部は、第１および第２の操作部が押圧状態になったときおよび押圧状態が解除されたときに第１および第２の操作部の動きに応じて発電し、この発電した電力によって第１の信号および第２の信号を送信することを特徴とする請求項１または２に記載の照明装置。
【発明の詳細な説明】
【技術分野】
【０００１】
本発明は、光源の点消灯制御及び調光制御を無線で行うことができる照明装置に関する。
【背景技術】
【０００２】
従来から、リモコン等によって照明器具の光源を点消灯、または調光制御する技術が知られている。例えば、１つの操作ボタンで操作毎に予め決められた数段の点灯モードを順送りするものや、点灯モードの数だけ操作ボタンを備えるリモコン送信部で各々の操作ボタンを操作することにより各点灯モードを直接選択するものなどがある。また、リモコンに調光用ボタンとモード切替ボタンを設け、無線によって光源を点滅・調光制御することができるものもある（例えば、「特許文献１」参照）。
【先行技術文献】
【特許文献】
【０００３】
【特許文献１】特開平９−２６００６７号公報
【発明の概要】
【発明が解決しようとする課題】
【０００４】
従来のリモコン装置は、点滅制御と調光制御を行うためにそれぞれ対応するボタンを設ける必要があったため、操作箇所が増えて操作が煩雑であるとともに部品点数が増加するという問題があった。
【０００５】
本発明は、このような点に鑑みなされたもので、簡単な構成で無線によって点消灯制御及び調光制御を行うことができる照明装置を提供することを目的とする。
【課題を解決するための手段】
【０００６】
請求項１記載の照明装置は、送信器本体と、この本体に配設された第１の操作部および第２の操作部と、第１および第２の操作部が押圧状態になったことによって各操作部に対応する第１の信号を送信するとともに前記第１および第２の操作部の押圧状態が解除されたことによって第２の信号を送信する無線送信部と、送信器本体に配設された電源部と、を有する送信器と；前記送信器から送信される信号を受信する受信部と；器具本体と、器具本体に配設された光源部と、この光源部を点灯制御するための点灯装置と、を有する照明器具と；前記受信部と接続されて前記第１の信号を受信してから所定時間内に第２の信号を受信したときは前記光源部を点消灯制御し、前記第１の操作部に対応する第１の信号を受信してから所定時間が経過すると前記光源部の調光率を上げ、前記第２の操作部に対応する第１の信号を受信してから所定時間が経過すると前記光源部の調光率を下げるように制御する制御部と；を具備したことを特徴とする。
【０００７】
各操作部に対応する第１の信号とは、例えば、第１の操作部および第２の操作部にそれぞれ対応して予め設定された個別のID情報を含む信号である。また、送信器自体にも個別のID情報を設定しておき第１の信号に送信器のID情報を含むようにしてもよい。
【０００８】
受信部および制御部は器具本体内に配設してもよいし、別体で構成してもよい。また、受信部と制御部とを一体的に構成し器具本体と別体としてもよい。
【０００９】
無線送信器から送信される信号は、例えば、３００KHz〜４００MHzまたは２．４GHz程度の周波数で送信するものであってもよいし、比較的指向性のある赤外線等で送信するものであってもよい。
【００１０】
請求項２記載の照明装置は、前記制御部は、第１の信号を受信してから所定時間を経過してから第２の信号を受信するまで調光制御を継続することを特徴とする。
【００１１】
調光制御は、所定の調光率に段階的に変化するものであってもよいし、連続的に変化するものであってもよい。
【００１２】
請求項３記載の照明装置は、前記電源部は、第１および第２の操作部が押圧状態になったときおよび押圧状態が解除されたときに第１および第２の操作部の動きに応じて発電し、この発電した電力によって第１の信号および第２の信号を送信することを特徴とする。
【００１３】
電源部による発電は、例えば磁界内に配設したコイルを操作部の動きに応じて移動または回転させるように構成してもよいし、圧電素子等の発電素子を用いてもよい。なお、第１および第２の操作部を押圧状態にするときに、押圧状態を解除する際の発電に必要な機械的な力を弾性部材等に蓄えておく構成が好ましい。
【発明の効果】
【００１４】
請求項１記載の照明装置によれば、調光用の操作部と点消灯用の操作部とを共通化した送信器によって光源を点灯制御する照明装置を提供することができる。
【００１５】
請求項２記載の照明装置によれば、少なくとも２回の送信信号によって調光制御を連続的に行い所望の調光率に設定することができる。
【００１６】
請求項３記載の照明装置によれば、無線信号を送信するために必要な電力を操作部の動きに応じて確保することができる。
【図面の簡単な説明】
【００１７】
【図１】第１の実施形態に係る照明装置の全体図。
【図２】第１の実施形態に係る送信器の正面図。
【図３】図２の送信器の本体を示す正面図。
【図４】図２の送信器の操作部を示す正面図。
【図５】図２の送信器の一部切欠き側面図。
【図６】第１の実施形態に係る送信器のブロック図。
【図７】第１の実施形態に係る照明器具のブロック図。
【図８】第２の実施形態に係る照明装置の全体図。
【発明を実施するための形態】
【００１８】
以下、第１の実施形態を図面を参照して説明する。
【００１９】
図１に本実施形態に係る照明装置Lの全体図を示し、図２は送信器としてのリモコン装置を示す正面図、図３は図２の送信器の本体を示す正面図、図４は図２の送信器の操作部を示す正面図、図５は図２の送信器の操作部を一部切欠いた側面図、図６は図１の送信器のブロック図、図７は図１の照明器具のブロック図である。
【００２０】
図１において、照明器具１０は、送信器としてのリモコン装置２０からの無線信号を受信し、受信した信号に応じて光源部を制御するように構成されている。リモコン装置２０は、第１の操作部２２a及び第２の操作部２２ｂを有しており、押圧操作によって、すなわち操作部が押圧状態となったことによって各操作部に対応する第１の信号を送信するとともに、第１の操作部２２aまたは第２の操作部２２ｂの押圧状態が解除されたときには、押圧状態が解除されたことによって第２の信号を送信する。第１の信号と第２の信号とは互いに区別できる信号であるが、第１の信号が操作部に応じた信号であるのに対し、第２の信号は第１の操作部２２aと第２の操作部２２ｂのいずれの押圧操作が解除された場合であっても同じ信号を送信するように構成されている。ただし、第２の信号を第１の操作部と第２の操作部のうちいずれの操作部の押圧状態が解除されたかによって互いに異なる信号としても良い。
【００２１】
図２ないし図５に示すように、リモコン装置２０は、送信器本体２１と操作部２２で構成されている。
【００２２】
送信器本体２１は、略中央部に接点部２１a、２１ｂ、両側部中央から側方に向かって突設する棒状の係合部２１ｃ、２１ｃ、長手方向端部には電源部に対して作用する揺動部２１ｄ、２１ｄを有している。
【００２３】
操作部２２は、第１の操作部２２aと第２の操作部２２bとが一体となった一つの部材で構成されている。操作部２２の裏面側には長手方向両端部に係止部２３a、２３b、係止部２３a、２３ｂと操作部２２の中央との間に押圧部２４a、２４ｂ、両側部中央には保持部２５a、２５aがそれぞれ突出形成されている。
【００２４】
保持部２５a、２５aは、両側部中央の裏面側にそれぞれ断面略円形の空間部とこの空間部に連接して下方に向かって開放した開放部とを有する切欠が形成されており、操作部２２を送信器本体２１の上方から押し込むことで保持部２５a、２５aに係合部２１ｃ、２１ｃが嵌り込み送信器本体２１と操作部２２とが係合する。このため、操作部２２は係合部２１ｃを支点に長手方向に対して揺動可能に構成される。このとき、図２及び図５に示すように操作部２２が送信器本体２１に取付けられた状態では、押圧部２４a、２４ｂと接点部２１a、２１ｂ、係止部２３a、２３ｂと揺動部２１ｄ、２１ｄ、がそれぞれ対向配置されるとともに、係止部２３a、２３ｂが揺動部２１ｄ、２１ｄによって操作部２２の揺動方向に対して位置決めされている。
【００２５】
接点部２１a、２１ｂは、送信器本体の正面側に切欠が設けられることによって上下方向に可動する可動部を有しており、この可動部の裏側に電気的な接点が設けられている。このため、接点部２１a、２１ｂが上から押圧されるとこの接点が閉じ、押圧力が解除されると接点が開く。ここで、押圧部２４a、２４ｂと接点部２１a、２１ｂとは対向配置しているので操作部２２が押圧操作されて揺動すると押圧部２４a、２４bが接点部２１a、２１bを押圧する。この構成によって、接点部２１a、２１ｂは操作部２２の押圧状態を判別することができる。
【００２６】
揺動部２１ｄ、２１ｄは、上下方向に可動し、押圧状態と押圧状態が解除された状態のそれぞれの状態へ変化するときに送信器本体の内部に収容される電源部としての発電部に作用して発電可能に構成されている。例えば、揺動部２１は、上下方向に可動させることによって、送信器内部において磁石とコイルで構成された発電部のコイルに作用する。そして、揺動部２１の動きに伴い磁界の中をコイルが移動し発電する。操作部２２が押圧操作されると操作部２２の揺動操作に応じて係止部２３a、２３bが揺動部２１を下方向に可動させる。また、揺動部２１は発電部から弾性力によって常に上方向に応力を受けるように付勢されており、操作部２２の押圧状態が解除されると揺動部２１は上位置に復帰する。すなわち、操作部２２を押圧操作すると、操作部２２の動きによって揺動部２１で発電するとともに接点部２１a、２１ｂが操作部２２の押圧部２４a、２４ｂに押圧される。そして、押圧操作を解除、すなわち操作部２２から押圧力を取り除くと操作部２２は揺動部２１が上方向に復帰する力によって初期位置に戻るとともに接点部２１a、２１ｂへの押圧状態が解除され、さらに揺動部も初期の位置に戻ることで発電部において発電する。
【００２７】
図６に示すように、リモコン装置２０は、送信器本体２１内部に搖動部２１ｄによって作用する発電部２６、接点部２１a、２１ｂの接点の開閉状態を判定する第１の判定部２７aおよび第２の判定部２７ｂ、発電部２６で発電した電力で無線信号を送信する無線送信部２８を有している。このため、無線信号を送信するのに必要な電力を操作部の動きに応じて確保することができる。なお、無線送信部２８にはリモコン装置２０のID情報、第１の操作部２２a、第２の操作部２２ｂに対応するID情報をそれぞれ記憶するメモリを備えており、送信する信号にリモコン装置及び各操作部のID情報を適宜送信する信号に含めることができる。
【００２８】
図７に示すように、照明器具１０は、器具本体１１、光源部１２、リモコン装置２０からの信号を受信する受信部１３、光源部１２を点灯制御する点灯装置１４、受信部１３で受信した信号に応じて点灯装置１４を制御する制御部１５を有している。なお、点灯装置１４は光源部１２の点消灯制御、調光制御することができるように構成されている。
【００２９】
次に、本実施形態の作用について説明する。
【００３０】
リモコン装置２０の第１の操作部２２aを押圧操作すると、係止部２３aが揺動部２１ｄを押下げるとともに押圧部２４aが接点部２１aを押圧する。このとき、無線送信部２８は第１の判定部２７aが第１の操作部２２aが押圧状態であると判定したことを受けて、発電部２６で発電した電力によって、リモコン装置２０及び第１の操作部２２aのID情報を含む第１の信号を送信する。第１の信号を受信部１３を介して受信した制御部１５は、所定時間の間第２の信号を受信するまで待機する。この所定時間は例えば５００ｍｓである。
【００３１】
所定時間が経過するまでに第１の操作部２２aの押圧状態が解除されると、揺動部２１ｄへの押下げ力が解除されて揺動部２１ｄは初期の位置に復帰するとともに再び発電部２６で発電する。このとき、第１の判定部２７aおよび第２の判定部２７ｂはいずれも操作部２２が押圧状態ではないと判定し、無線送信部２８はこの判定結果を受けて発電部２６で発電した電力で第２の信号を送信する。なお、第２の無線信号にはリモコン装置２０のID情報のみ含んでおり、操作部２２aのID情報は含んでいない。そして、第２の信号を受信部１３を介して受け取った制御部１５は第１の信号を受け取ってから第２の信号を受け取るまでの時間が所定時間未満であると判断し、点灯装置１４を制御して光源部１２を点消灯制御する。ここで、制御部１５はリモコン装置２０から送信される信号が点灯制御情報であるか消灯制御情報であるかを判断せず、第１の信号を受信してから第２の信号を受け取るまでの時間のみで判断して点消灯制御を行う。つまり、光源部１２が消灯状態であれば点灯し、点灯状態であれば消灯する。
【００３２】
一方、光源部１２がすでに点灯状態である場合に、制御部１５が第１の操作部２２aが押圧操作されたことに伴い送信された第１の信号を受け取ってから第２の信号を受けずに所定時間が経過したと判断したときには、光源部１２の調光率を上げるように点灯装置１４を制御する。例えば、所定時間が経過後３０ｍｓ毎に調光率を１０％ずつ上げるように制御する。また、第１の信号を受け取ってから所定時間が経過した場合において、第１の信号が第２の操作部２２ｂによって送信されたものである場合には所定時間が経過後３０ｍｓ毎に調光率を１０％ずつ下げるように制御する。すなわち、第１の操作部２２a及び第２の操作部２２ｂによる調光制御は、光源部１２の調光率を上げる制御と下げる制御にそれぞれ対応している。そして、制御部１５は第１の信号に含まれる操作部２２のID情報によって調光率を上げるか、下げるかを判断する。なお、所定時間が経過後第２の信号を受信したときはその時点の調光率を維持し、調光率を変化させる制御を停止する。また、所定時間が経過後段階的に調光率を変化させても良いし、連続的に調光率を変化させても良い。
【００３３】
このように、本実施形態によれば調光制御と点消灯制御を共通化した操作部で行うことができるため、リモコン装置に設ける操作部の数を減らし、部品点数を減らすころができるとともに、操作が容易になる。
【００３４】
また、制御部１５は調光率を変化させているときにリモコン装置２０からなんらの制御信号も必要としないため、リモコン装置２０は少なくとも２回無線信号を送信するだけで調光制御を連続的に行い所望の調光率に設定することができる。
【００３５】
さらに、操作部２２の押圧操作によって、無線信号を送信するのに必要な電力を確保することができる。
【００３６】
次に、第２の実施形態に係る照明装置Lについて図８を用いて説明する。なお、第２の実施形態は第１の実施形態における受信部１３と制御部１５とを一体化したものを照明器具１０から分離して別置にしたという点が異なっており、リモコン装置については共通の構成であるため同符号を付して詳細な説明は省略する。
【００３７】
図８に示すように、照明装置Lは制御装置３５と照明器具３０が信号線４０で接続されており、制御装置３６は受信部３３及び制御部３５、照明器具３０は器具本体３１に光源部３２及び点灯装置３４を有している。
【００３８】
制御装置３６の受信部３３はリモコン装置２０から送信された無線信号を受信可能に構成されており、リモコン装置２０から送信される第１の信号および第２の信号に応じて、点灯装置３４を制御する。信号線４０は例えば調光信号線であり、制御部３５は点灯装置３４に対して調光信号を送信する。
【００３９】
そして、第１の実施形態と同様に制御部３５は、リモコン装置２０から第１の操作部２２aまたは第２の操作部２２bが操作されたことによって送信された第１の信号を受信した後に所定時間が経過するまでに第２の信号を受信した場合には光源部１２を点消灯制御し、所定時間が経過すれば第２の信号を受信するまで調光制御を行う。
【００４０】
なお、第１及び第２の実施形態では送信器としてリモコン装置を用いて説明したが、これに限定されることはなく、例えば壁スイッチでもよいし、その他無線を送信することができる全ての機器やセンサについて適用することができる。
【００４１】
また、電源部として発電機能を有する発電部を具備する代わりに電池、蓄電池、太陽電池などのバッテリー手段を用いても良く、発明を構成する各構成要件はそれぞれ別体であってもよいし、適宜組み合わされて一体化した構成であっても良い。
【００４２】
なお、第２の実施形態では制御装置３６と照明器具３０とが１対１で対応する場合について説明したが、１つの制御装置３６に対して複数台の照明器具３０を信号線４０を介して接続してもよい。
【００４３】
この場合には、制御装置３６はリモコン装置のID情報と照明器具３０のID情報とを対応付けて記憶しておき、第１の信号および第２の信号に含まれるリモコン装置２０のID情報によって、対応する照明器具３０を制御するようにしてもよい。例えば、制御部３５は信号線４０に制御対象となる照明器具３０のID情報を含む制御信号を送信し、各照明器具３０は制御信号に自己のID情報が含まれる場合には制御信号に従って光源部を制御する。
【００４４】
このように、本実施形態は複数台の照明器具を制御することができる照明制御システムとすることができる。
【００４５】
以上、本発明の好適な実施形態を説明したが、本発明は上述の各実施例に限定されることなく、本発明の要旨を逸脱しない範囲内において、種々の設計変更を行うことができる。
【符号の説明】
【００４６】
Ｌ…照明装置、１０、３０…照明器具、１１、３１…器具本体、１２、３２…光源部、１３、３３…受信部、１４、３４…点灯装置、１５、３５…制御部、２０…送信器、２１…送信器本体、２２a…第１の操作部、２２b…第２の操作部、２６…電源部、２８…無線送信部
【図１】
2011216314.tif 000003
【図２】
2011216314.tif 000004
【図３】
2011216314.tif 000005
【図４】
2011216314.tif 000006
【図５】
2011216314.tif 000007
【図６】
2011216314.tif 000008
【図７】
2011216314.tif 000009
【図８】
2011216314.tif 000010